(57)【要約】【課題】ストッパー部の小型化及び高強度化を図りつつ、作業者が被包装物を載置トレイに載せる際にストッパー部が被包装物によって上側から押し潰されて破損するのを極力、防止する。【解決手段】ストッパー部６の補強片６７は、その基端部を支点に枠状部６０の内側に折り返されて枠状部６０の下側側壁と略平行に延びた後、鋭角に折り返されてその先端部の差し込み片６８が差し込み孔６４に挿入されることで、枠状部６０の上側壁を下方から支えるように構成されている。【選択図】図７
2018034885.tif 000002
【特許請求の範囲】
【請求項１】
被包装物が載置される載置領域を有する底面部と、該底面部に隣接し、折り曲げて起立させることで互いに対向して被包装物の両側面を覆う一対の側面部と、該底面部の上面側に形成され、上記一対の側面部に沿う方向の被包装物の移動を規制するストッパー部とを備えた載置トレイであって、
上記ストッパー部は、
上記底面部における上記被包装物の載置領域に隣接し、上記一対の側壁部の対向方向に延びる短冊状部を枠状に折り曲げてなる枠状部と、上記底面部における上記枠状部に隣接する部分をコ字状に切り欠くことで該枠状部側に折返し可能に構成された補強片と、該補強片の先端部に連接された該補強片よりも幅狭の差し込み片と、上記枠状部の上側壁に形成された差し込み孔とを有し、
上記補強片は、その基端部を支点に上記枠状部の内側に折り返されて上記枠状部の下側壁と略平行に延びた後、鋭角に折り返されてその先端部の上記差し込み片が上記差し込み孔に挿入されることで、上記枠状部の上側壁を下方から支えるように構成されている、載置トレイ。
【請求項２】
請求項１記載の載置トレイにおいて、
上記補強片は、上記底面部における上記枠状部よりも上記載置領域側に位置する部分を切り欠くことで形成され、
上記ストッパー部は、
上記底面部における上記枠状部の載置領域側とは反対側の部分に形成され、該枠状部側に折返し可能な折返し片と、
上記枠状部の下側壁に形成され、上記載置領域側とは反対側に開放して、上記折り返された折返し片に係合する切欠き部とをさらに有している、載置トレイ。
【発明の詳細な説明】
【技術分野】
【０００１】
本発明は、被包装物の載置トレイに関する。
【背景技術】
【０００２】
画像形成装置や家庭用電化製品等（被包装物）は、通常、段ボールなどで構成される包装箱によって包装された後に出荷される。作業者が包装箱に被包装物を出し入れする際の作業性を向上させるために、被包装物を載置する載置トレイを設ける場合がある（例えば、特許文献１参照）。
【０００３】
載置トレイは、被包装物が載置される底面部と、該底面部に隣接し、折り曲げて起立させることで被包装物の四方を囲む側面部とを有している。第一の対向する一対の側面部には持手部が設けられており、作業者はこの持手部に手を掛けて載置トレイを被包装物と共に持ち上げることで梱包作業を行う。第二の対向する一対の側面部は、載置トレイの持ち運び時に底面部が傾動した際に、被包装物が自重により一対の側面部に沿った方向に移動するのを規制するストッパー部として機能する。第二の対向する一対の側面部は底面部の幅方向の全体に亘って形成されている。
【先行技術文献】
【特許文献】
【０００４】
【特許文献１】特開２００９−２９２５０１号公報
【発明の概要】
【発明が解決しようとする課題】
【０００５】
ここで、被包装物の運搬コストの低減を図る観点では包装箱を小容量化する必要があり、これに伴い、載置トレイのコンパクト化に対する要求が高まっている。載置トレイをコンパクト化しようとすると、ストッパー部の形成スペースが制限されるため、ストッパー部が小型化してその強度が不足してしまう。
【０００６】
また、ストッパー部を小型化すると、作業者が被包装物を載置トレイに乗せる際に誤って被包装物をストッパー部上に置いてしまい、ストッパー部が被包装物によって上側から押し潰される虞がある。
【０００７】
本発明は、かかる点に鑑みてなされたものであり、その目的とするところは、ストッパー部の小型化及び高強度化を図りつつ、ストッパー部が被包装物により上側から押し潰されて破損するのを極力、防止しようとすることにある。
【課題を解決するための手段】
【０００８】
本発明に係る載置トレイは、被包装物が載置される載置領域を有する底面部と、該底面部に隣接し、折り曲げて起立させることで互いに対向して被包装物の両側面を覆う一対の側面部と、底面部の上面側に形成され、上記一対の側面部に沿う方向の被包装物の移動を規制するストッパー部とを備えている。
【０００９】
上記ストッパー部は、上記底面部における上記被包装物の載置領域に隣接し、上記一対の側壁部の対向方向に延びる短冊状部を枠状に折り曲げてなる枠状部と、上記底面部における上記枠状部に隣接する部分をコ字状に切り欠くことで該枠状部側に折返し可能に構成された補強片と、該補強片の先端に連接された該補強片よりも幅狭の差し込み片と、上記枠状部の上側壁に形成された差し込み孔とを有し、上記補強片は、その基端縁を支点に上記枠状部の内側に折り返されて上記枠状部の下側壁と略平行に延びた後、鋭角に折り返されてその先端部の差し込み片が上記差し込み孔に挿入されることで、上記枠状部の上壁を下方から支えるように構成されている。
【発明の効果】
【００１０】
本発明によれば、ストッパー部の小型化を図りつつ、ストッパー部が被包装物により上側から押し潰されて破損するのを極力、防止することができる。
【図面の簡単な説明】
【００１１】
【図１】図１は、実施形態に係る載置トレイ全体の斜視図である。
【図２】図２は、図１に示す載置トレイの展開図である。
【図３】図３は、ストッパー部の組立て途中の状態を示す斜視図である。
【図４】図４は、ストッパー部の組立て途中の状態を示す斜視図である。
【図５】図５は、ストッパー部の組立て完了後の状態を示すトレイ内方側から見た斜視図である。
【図６】図６は、ストッパー部の組立て完了後の状態を示すトレイ外方側から見た斜視図である。
【図７】図７は、図６のVII-VII線断面図である。
【発明を実施するための形態】
【００１２】
以下、本発明の実施形態を図面に基づいて詳細に説明する。尚、本発明は、以下の実施形態に限定されるものではない。
【００１３】
《実施形態》
図１は、本実施形態に係る載置トレイ１を示す外観斜視図であり、図２は載置トレイ１の展開図である。載置トレイ１は、画像形成装置や家庭用電化製品等の被包装物１００が載置されるトレイであって、直方体形状をなす包装箱（図示省略）にすっぽりと収まるように形成されている。
【００１４】
載置トレイ１は、板状をなす段ボールを折り曲げて形成されている。載置トレイ１は、被包装物１００が載置される載置領域Ｒを有する底面部２と、該底面部２に隣接して互いに対向する一対の側面部３，４と、一対の側面部３，４に沿う方向の被包装物１００の移動を規制する第一ストッパー部５及び一対の第二ストッパー部６とを備えている。以下の説明にいて、底面部２の縦方向とは、一対の側面部３，４に沿う方向を意味し、底面部２の横方向とは、一対の側面部３，４の対向方向を意味するものとする。
【００１５】
側面部３，４は、図２に示す載置トレイ１の折り目７，８で底面部２の外側部分を垂直に折り曲げて起立させることにより形成されている。側面部３，４は、載置トレイ１の横方向において対向し、これにより被包装物１００の側面を覆っている。
【００１６】
側面部３，４にはそれぞれ、作業者が載置トレイ１を包装箱に出し入れする際に手で掴むことができる持手部３０が設けられている。持手部３０は、縦方向に延びる手掛け孔３１を有している。手掛け孔３１は、側面部３、４を厚さ方向に貫通していて、作業者が手を挿入して、掛けることが可能な大きさ及び形状をなしている。
【００１７】
作業者が包装箱（図示省略）に被包装物１００を出し入れする際には、作業者は包装箱の正面側（図１の手間側）から、載置トレイ１の持手部３０の手掛け孔３１に手を掛けて載置トレイ１を上げ降ろしする。これにより、被包装物１００を直接、上げ降ろしする場合に比べて包装作業を容易に行うことができる。
【００１８】
第一ストッパー部５及び一対の第二ストッパー部６は、段ボールの一部を折り曲げることにより立体化されて底面部２の端部から上方に突出している。そして、第一ストッパー部５及び一対の第二ストッパー部６は、作業者が載置トレイ１を包装箱に出し入れする際に底面部２が傾いたときに、被包装物１００が底面部２上から落下しないように被包装物１００の縦方向の移動を規制している。
【００１９】
第一ストッパー部５は、底面部２の縦方向の一側端部に横方向の全体に亘って形成されている。第一ストッパー部５は、図２に示す折り目９〜１２で段ボールを折り曲げて、一対の差し込み片１３をそれぞれ一対の差し込み孔１４に差し込んだ後、底面部２に形成された一対の折返し片２６をそれぞれ折り曲げて一対の切欠き孔１５に係合させることで形成されている。
【００２０】
一対の第二ストッパー部６は、底面部２における縦方向の他側端部に形成されている。一対の第二ストッパー部６は、底面部２の横方向の中央位置を挟んで間隔を空けて対称に配置されている。各第二ストッパー部６は、載置トレイ１のコンパクト化を図るために第一ストッパー部５よりも小型化されている。具体的には、各第二ストッパー部６の横方向の幅は、第一ストッパー部５の横方向の幅の略１／５とされ、各第二ストッパー部６の高さは、第一ストッパー部５の高さ（両端部を除く中間部の高さ）の略１／３とされている。
【００２１】
各第二ストッパー部６は、展開状態において段ボールに形成された短冊状部６１及び補強片６７を用いて形成されている。
【００２２】
短冊状部６１は、横方向に延びる短冊状をなしている。短冊状部６１は、底面部２における被包装物１００の載置領域Ｒに隣接してその外側に形成されている。短冊状部６１は、底面部２の一部に横方向に延びる切れ込みを入れることで形成されている。
【００２３】
短冊状部６１には、その基端縁側から先端縁側に向かって五つの折り目１７〜２１がこの順に並んで形成されている。折り目１７は、短冊状部６１の基端縁と同じ位置に形成されている。折り目１８〜２１は、短冊状部６１の基端縁と先端縁との間の中間部に形成されている。
【００２４】
短冊状部６１における折り目１８と折り目１９との間には、横方向に延びる矩形状の差し込み孔６４が形成されている。この差し込み孔６４には、後述する補強片６７の先端部に形成された差し込み片６８が差し込まれる。
【００２５】
短冊状部６１における折り目１８と差し込み孔６４との間で且つ折り目１８に隣接する部分には、矩形状の差し込み孔６３が形成されている。短冊状部６１の先端には、該差し込み孔６４に差し込み可能な差し込み片６２が連接されている。差し込み片６２の幅は短冊状部６１の幅よりも小さい。
【００２６】
短冊状部６１における折り目２０と折り目２１との間には、縦方向の外側に開放する矩形状の切欠き部６６が形成されている。底面部２における一対の短冊状部６１の間（図２における左右の折り目１７の間）には、折り曲げることにより切欠き部６６に係合する台形状の折返し片１６が形成されている。
【００２７】
上記補強片６７は、底面部２の縦方向の他側端部（図２の上側端部）に形成されている。補強片６７は、全体視で縦長に延びる矩形状をなしている。補強片６７は、底面部２の一部をコ字状に切り欠くことで折り曲げ可能に構成されている。補強片６７には、縦方向に間隔を空けて並ぶ３つの折り目２２〜２４が形成されている。折り目２２は、補強片６７の基端縁と同じ位置に形成されている。折り目２３，２４は、補強片６７の基端縁と先端縁との間に形成されている。補強片６７の先端部には、該補強片６７よりも幅狭の差し込み片６８が連接されている。
【００２８】
次に図３〜図７を参照して、各第二ストッパー部６（図３〜図６では一方の第二ストッパー部６のみを示す）の形成手順について説明する。先ず、図３に示すように、短冊状部６１をそれぞれ折り目１９〜２１で折り曲げて四角枠状にした後、差し込み片６２を差し込み孔６３に差し込む。そしてこの四角枠を折り目１８及び折り目１７で図３の反時計回り方向に回転させて枠状部６０（図４参照）を形成する。この状態では、差し込み孔６４が枠状部６０の上側壁に位置し、切欠き部６６（図６及び図７参照）が枠状部６０の下側壁に位置し、補強片６７が枠状部６０に隣接してその載置領域Ｒ側に位置することとなる。
【００２９】
枠状部６０を形成した後は、図５に示すように、補強片６７を折り目２２，２３（つまり補強片６７の基端部）支点に枠状部６０の内側に折り返すとともに、該折り返した部分を折り目２４（図７参照）で載置領域Ｒ側に鋭角に折り返してその先端部の差し込み片６８を差し込み孔６４に差し込む。次いで、図６に示すように、底面部２の載置領域Ｒ側とは反対側の端部に形成された上記折返し片１６を折り曲げて切欠き部６６に係合させる。そうして第二ストッパー部６の組立てが完了する。尚、第二ストッパー部６の組立順序はここで記載した順序に限定されない。
【００３０】
以上のように構成された載置トレイ１によれば、作業者が包装箱に載置トレイ１を出し入れする際に載置トレイ１が傾いたときには、第一ストッパー部５又は一対の第二ストッパー部６によって被包装物１００を受け止めて被包装物１００が載置トレイ１上から落下するのを防止することができる。
【００３１】
ここで、一対の第二ストッパー部６は、載置トレイ１をコンパクト化するために、第一ストッパー部５に比べて小型化されている。このため、作業者が被包装物１００を載置トレイ１に載せる際に誤って第二ストッパー部６上に被包装物１００を置いてしまう場合がある。この結果、第二ストッパー部６が被包装物１００により押し潰されて破損する虞がある。
【００３２】
これに対して本実施形態では、上記補強片６７が、その基端部を支点に枠状部６０の内側に折り返されて該枠状部６０の下側壁と略平行に延びた後、鋭角に折り返されてその先端部の差し込み片６８が差し込み孔差し込み孔６４に挿入されることで、枠状部６０の上側壁を下方から支えるように構成されている（図７参照）。これにより、第二ストッパー部６の上下方向の剛性を補強片６７により格段に向上させることができる。したがって、作業者が被包装物１００を載置トレイ１に載せる際に第二ストッパー部６が被包装物１００により押し潰されて破損するのを極力、回避することができる。
【００３３】
また、補強片６７は、載置トレイ１が傾いた際に被包装物１００からの荷重の一部を受け止めるので、各第二ストッパー部６の被包装物１００の移動方向（縦方向）の剛性を向上させることができる。
【００３４】
さらに本実施形態では、底面部２における枠状部６０の載置領域Ｒ側とは反対側の部分には、該枠状部６０側に折返し可能な折返し片１６が形成され、枠状部６０の下側壁には載置領域Ｒ側とは反対側に開放する切欠き部６６が形成されており、上記折返し片１６が切欠き部６６に係合している（図６及び図７参照）。したがって、各第二ストッパー部６に作用する被包装物１００からの荷重をこの折返し片１６によっても受け止めることができる。よって、各第二ストッパー部６の被包装物１００の移動方向の剛性をより一層高めることができる。
【産業上の利用可能性】
【００３５】
以上説明したように、本発明は、被包装物の載置トレイについて有用である。
【符号の説明】
【００３６】
Ｒ     載置領域
１     載置トレイ
２     底面部
３     側面部
４     側面部
６     第二ストッパー部（ストッパー部）
６０   枠状部
６１   短冊状部
６４   差し込み孔
６７   補強片
６８   差し込み片
１００ 被包装物
【図１】
2018034885.tif 000003
【図２】
2018034885.tif 000004
【図３】
2018034885.tif 000005
【図４】
2018034885.tif 000006
【図５】
2018034885.tif 000007
【図６】
2018034885.tif 000008
【図７】
2018034885.tif 000009